(57)【要約】【課題】ウェットティシュをフィルム包装袋から引き出す際、摩擦力によって後続のウェットティシュも連続的に引き出されてしまう。【解決手段】平均粒径が２０〜５０μｍの範囲にある大粒子が表面に付着した本発明によるウェットシート１は、平均粒径が０.００２〜１０μｍの範囲にあって、大粒子の数よりも多い数の小粒子をさらに含み、ウェットシート１に対する大粒子および小粒子の重量割合が１〜３０％の範囲にある。このようなウェットシート１は、これを順に折り重ね合わせてなるウェットシート束１１と、このウェットシート束１１を密封状態で収容するためのフィルム包装袋１２とを具えた包装体１０として提供される。【選択図】図１
2015188659.tif 000002
【特許請求の範囲】
【請求項１】
平均粒径が２０〜５０μｍの範囲にある大粒子が表面に付着したウェットシートであって、
平均粒径が０.００２〜１０μｍの範囲にある小粒子をさらに含み、この小粒子の数が前記大粒子の数よりも多く、
ウェットシートに対する前記大粒子および前記小粒子の重量割合が１〜３０％の範囲にあることを特徴とするウェットシート。
【請求項２】
前記大粒子は、前記小粒子を収容し得る空孔が形成された多孔質体であることを特徴とする請求項１に記載のウェットシート。
【請求項３】
前記小粒子が機能性薬剤層にて被覆されていることを特徴とする請求項１または請求項２に記載のウェットシート。
【請求項４】
前記機能性薬剤層が保湿剤，芳香剤，抗菌剤，消毒剤，洗浄剤のうちの少なくとも１つを含むことを特徴とする請求項３に記載のウェットシート。
【請求項５】
前記小粒子の平均粒径が０.５μｍ〜５μｍの範囲にあることを特徴とする請求項２から請求項４の何れかに記載のウェットシート。
【請求項６】
前記大粒子の平均粒径が３０μｍ〜５０μｍの範囲にあることを特徴とする請求項１から請求項５の何れかに記載のウェットシート。
【請求項７】
請求項１から請求項６の何れかに記載のウェットシートを順に折り重ね合わせてなるウェットシート束と、このウェットシート束を密封状態で収容するためのフィルム包装袋とを具えた包装体であって、
前記フィルム包装袋の上面には、ここに収容された前記ウェットシートを取り出すための細長い開口部が形成され、
前記フィルム包装袋の上面に一端部が接合され、前記開口部を開閉可能に覆う可撓性を持った開閉用シートをさらに具え、
この開閉用シートは、前記開口部の周囲を取り囲むように前記フィルム包装袋の上面に対し剥離可能に接合される粘着層を有することを特徴とする包装体。
【発明の詳細な説明】
【技術分野】
【０００１】
本発明は、ウェットシートならびにこのウェットシートを順に折り重ね合せてなるウェットシート束とこのウェットシート束を密封状態で収容するフィルム包装袋とを具えた包装体に関する。
【背景技術】
【０００２】
ティシュペーパーやキッチンタオルなどの衛生用紙のうち、特に乾燥を嫌うウェットティシュにおいては、密封性の高い包装を行う必要がある。このため、一般にはあらかじめウェットティシュを順に折り重ね合せてティシュ束を形成し、これを密閉性の高いフィルム包装袋に収容した包装体の形態で市販されている。このような包装体の一例として、特許文献１に開示されたものが知られている。より具体的には、フィルム包装袋の上面にスリット状の開口部を形成し、この開口部を開閉するための可撓性を持つ開閉用シートで覆い、開口部の周囲を取り囲んでフィルム包装袋に対して剥離可能に接合される粘着層を開閉用シートに形成している。これは、内部に収容されたウェットティシュ束の密封性を維持しつつ、ウェットテュシュを必要な時に一枚ずつ取り出すことができるようにした、いわゆるポップアップ式の包装体を実現している。
【先行技術文献】
【特許文献】
【０００３】
【特許文献１】特開２０１３−３９９３１号公報
【発明の概要】
【発明が解決しようとする課題】
【０００４】
ウェットティシュ束が密閉状態で収容される従来の包装体においては、相互に折り重ね合せられる個々のウェットティシュ相互の摩擦係数が高い傾向にある。このため、ウェットティシュを１枚だけ取り出そうとしても、後続のウェットテュシュがこれらの間に働く摩擦力によって連続的に開口部から次々と引き出されてしまう可能性がある。特に、フィルム包装袋内の密閉性を高めるために開口部をスリット状にしているため、開口部から引き出されるウェットティシュと、次に続くウェットティシュとがより強く押し付けられた状態となるため、これらの間により強い摩擦力が発生してしまう。
【０００５】
このような不具合を改善するため、特許文献１においては開口部に特殊な構造のセパレーターを組み込んでおり、そのためのコストが増大する上に包装体がかさばってしまう欠点があった。
【０００６】
本発明の目的は、ウェットシートをフィルム包装袋に形成された開口部から引き出す際に発生する摩擦力により、後続のウェットティシュが連続的に引き出されてしまわないように配慮したウェットシートを提供することにある。また、このウェットシートを順に折り重ね合せてなるウェットシート束とこのウェットシート束を密封状態で収容するフィルム包装袋とを具えた包装体を提供することも本発明の目的に含まれる。
【課題を解決するための手段】
【０００７】
本発明の第１の形態は、平均粒径が２０〜５０μｍの範囲にある大粒子が表面に付着したウェットシートであって、平均粒径が０.００２〜１０μｍの範囲にある小粒子をさらに含み、この小粒子の数が前記大粒子の数よりも多く、ウェットシートに対する前記大粒子および前記小粒子の重量割合が１〜３０％の範囲にあることを特徴とする。
【０００８】
本発明の第１の形態によるウェットシートにおいて、大粒子は、小粒子を収容し得る空孔が形成された多孔質体であることが好ましい。一例を挙げると、タルク，マイカ，カオリン，シリカ（無水ケイ酸），炭酸カルシウム，酸化亜鉛，酸化チタン，アルミナなどにて大粒子を形成することができるが、これらに限定されない。小粒子もまた、大粒子と同じ材料にて形成することができる。
【０００９】
小粒子が機能性薬剤層を被覆したものであってよく、この機能性薬剤層が保湿剤，芳香剤，抗菌剤，消毒剤，洗浄剤のうちの少なくとも１つを含むことができる。より具体的には、芳香剤としては、各種精油などを挙げることができる。抗菌剤としては、例えば銅ゼオライトや銀ゼオライトの他にハーブやユーカリなどの天然抗菌剤を挙げることができる。消毒剤としては、例えば塩化ベンザルコニウムやパラベンを挙げることができる。洗浄剤としては、例えば陽イオン界面活性剤，陰イオン界面活性剤，非イオン界面活性剤，両性イオン界面活性剤などの界面活性剤の他にクエン酸を挙げることができる。何れも、湿式スプレーコーティング法や乾式コーティング法などに代表される周知の方法を用いて小粒子の表面に機能性薬剤層を被覆することができる。また、量的に人体に対する安全性に関して問題がないものであれば、他の適当な機能性薬剤を用いることも可能である。この場合、小粒子の表面に安定した機能性薬剤層を容易に形成できるようにするため、小粒子の平均粒径を０.５μｍ〜５μｍの範囲にすることが特に有効である。
【００１０】
相互に重ね合わされるティシュシート間の摩擦抵抗を少なくするためには、大粒子の平均粒径が大きいほど好ましいけれども、平均粒径が５０μｍを越えると、ウェットシートの手触りや風合いに違和感を伴うようになる。このため、大粒子の平均粒径は３０μｍ〜５０μｍの範囲にあることが特に好ましい。
【００１１】
本発明の第２の形態は、上述した本発明の第１の形態によるウェットシートを順に折り重ね合わせてなるウェットシート束と、このウェットシート束を密封状態で収容するためのフィルム包装袋とを具えた包装体であって、前記フィルム包装袋の上面には、ここに収容された前記ウェットシートを取り出すための細長い開口部が形成され、前記フィルム包装袋の上面に一端部が接合され、前記開口部を開閉可能に覆う可撓性を持った開閉用シートをさらに具え、この開閉用シートは、前記開口部の周囲を取り囲むように前記フィルム包装袋の上面に対し剥離可能に接合される粘着層を有することを特徴とする。
【００１２】
本発明においては、フィルム包装袋の上面と、この上面に形成された開口部に重ね合わされる開閉用シートとの間に開口部の周囲を取り囲む粘着層が介在し、これによってフィルム包装袋内の気密性が保持される。開閉用シートを開いて開口部からウェットティシュを引き出す際には、この引き出されるウェットティシュと後続のウェットティシュとの間に介在する大粒子により、これらの間に発生する摩擦が軽減される。結果として、開口部からウェットティシュを引き出す際に、後続のウェットティシュはフィルム包装袋内に留まりやすくなる。
【発明の効果】
【００１３】
本発明のウェットシートによると、その表面に平均粒径が２０〜５０μｍの範囲にある大粒子が付着しているため、順に折り重ね合わせた状態にあるウェットシート束から１枚ずつウェットシートを引き出す際に、その摩擦抵抗を軽減させることができる。
【００１４】
大粒子が小粒子を収容し得る空孔を形成した多孔質体の場合、空孔内に小粒子を収容させた状態にすることができ、大粒子が皮膚に触れた場合におけるざらつきを低減させることができる。
【００１５】
小粒子を保湿剤，芳香剤，抗菌剤，消毒剤，洗浄剤などの機能性薬剤層にて被覆した場合、機能性薬剤による機能、例えば保湿効果や芳香性，抗菌性，消毒効果，洗浄効果をウェットシートに付加することができる。小粒子の平均粒径を０.５μｍ〜５μｍの範囲にすることにより、小粒子の表面に安定した機能性薬剤層を容易に形成することができる。
【００１６】
大粒子の平均粒径を３０μｍ〜５０μｍの範囲にした場合、順に折り重ね合わせた状態にあるウェットシートを引き出す際の摩擦抵抗をさらに良好に軽減することができる。
【００１７】
本発明によるウェットシートを順に折り重ね合わせて密封状態で内包する本発明の包装体によると、順に折り重ね合わされたウェットシート相互の摩擦を低減することができる。このため、従来のようなセパレーターを使用せずとも、ウェットシートを１枚ずつ開口部から引き出すことができ、特にポップアップ式のものに適用した場合に有効である。
【図面の簡単な説明】
【００１８】
【図１】本発明による包装体をウェットティシュパックに応用した一実施形態の外観を表す立体投影図である。
【図２】図１に示したウェットティシュパックの断面形状を模式的に拡大した縦断面図である。
【図３】図１に示したウェットティシュパックに収容されたウェットティシュ束の積層状態を模式的に表す概念図である。
【発明を実施するための形態】
【００１９】
本発明による包装体をウェットティシュパックに応用した実施形態について、図１〜図３を参照しながら詳細に説明する。なお、本発明はこのような実施形態のみに限らず、ウェットティシュ以外の衛生用紙を内包した包装体に対しても応用することが可能である。
【００２０】
本発明による包装体としてのウェットティシュパックの外観を図１に示し、その断面構造を拡大して図２に示し、ここに収容されたウェットティシュの積層状態を模式的に図３に示す。すなわち、本実施形態におけるウェットティシュパック１０は、積層状態のウェットティシュ束１１と、このウェットティシュ束１１を密封状態で収容するためのフィルム包装袋１２とを具えている。ウェットティシュ束１１は、ウェットシートとしての矩形のウェットティシュを順に絡み合わせて折り重ねたものである。本実施形態においては、幅方向両側端にて４回折り返した４つの折り返し部１ＤＬ，１ＤＲ，１ＵＬ，１ＵＲをそれぞれ有する折り畳みウェットティシュ１を採用している。そして、下側に位置する折り畳みウェットティシュ１の上端部の折り返し部１ＵＲよりも先の部分が上側に位置する折り畳みウェットティシュ１の下端側の折り返し部１ＤＬの間に挟み込まれるように、順に重ね合わせた積層状態のウェットティシュ束１１を構成する。しかしながら、これ以外のいわゆるＺ折りなど、必要に応じて任意の折り畳み形状を持つ折り畳みウェットティシュをポップアップ式に積層させた構成のものを採用することが可能である。
【００２１】
折り畳みウェットティシュ１のベースとなるティシュシートは、パルプおよび合成繊維や化学繊維が相互に絡み合うようにウェブ状に積層させたものである。このティシュシートは、その使用目的に応じて水解性であっても非水解性であってもよく、また坪量もその使用目的に応じて自由に選択し得るものである。このようなティシュシートに含浸させる薬液成分もまた、その使用目的に応じて自由に選択し得るものであり、一例として次のような構成のものを挙げることができるが、これに限定されない。すなわち、精製水を８３.０重量％と、大粒子および小粒子を１５.０重量％と、プロピレングリコールを重量１.１％と、パラベンを重量０.４％と、安息香酸ナトリウムを重量０.２％と、セチルピリジニウムクロリドを重量０.１５％と、クエン酸を０.１５重量％とを配合したものである。このような薬液成分をティシュシートに対し、その使用目的に応じて重量比で例えば１〜４倍程度含浸させ、折り畳みウェットティシュ１を作成する。これにより、折り畳みウェットティシュ１の表面には固形分である大粒子が小粒子と共に分散状態で付着する。
【００２２】
本実施形態における大粒子は、その平均粒径が２０〜５０μｍの範囲にある多孔質体であり、その表面には多数の空孔が形成されている。大粒子は、折り畳みウェットティシュ１相互の擦れ合いに伴う摩擦抵抗を軽減させる機能を第１に有する。本実施形態における小粒子は、その平均粒径が０.００２〜１０μｍの範囲にあり、表面に機能性薬剤層が形成されている。大粒子の第２の機能は、小粒子をその空孔に収容して保持することにあり、これによって多孔質性の大粒子の表面の平滑性が改善され、その第１の機能である摩擦抵抗を軽減させる効果をさらに良好にすることが可能となる。従って、小粒子の数は大粒子の数よりも多く配合され、すべての小粒子が大粒子の空孔内に収容されるような状態となっていることが理想的であるが、大粒子の空孔内に収容しきれない小粒子が残存するようにしてもよい。これら大粒子および小粒子の折り畳みウェットティシュ１に対する重量割合は１〜３０％の範囲に設定されている。
【００２３】
なお、大粒子の空孔に保持される小粒子の表面には機能性薬剤層が形成されているため、折り畳みウェットティシュ１に保湿効果や芳香性，抗菌性，消毒効果，洗浄効果などを付与することができる。
【００２４】
一方、フィルム包装袋１２の上面１２ａには、ここに内包された一番上に位置する折り畳みウェットティシュ１を取り出すためのスリット状の細長い開口部１３が形成されている。この開口部１３は、フィルム包装袋１２の上面１２ａに基端部が接合された可撓性を有する開閉用シート１４によって開閉可能に覆われている。この開閉用シート１４の外周縁部には、フィルム包装袋１２の上面１２ａに対して剥離可能に接合される粘着層１４ａが形成され、開口部１３の周囲を環状に取り囲むようになっている。つまり、フィルム包装袋１２に形成された開口部１３は開閉用シート１４の粘着層１４ａによってシール状態で覆われた状態となる。結果として、開閉用シート１４の粘着層１４ａ全体をフィルム包装袋１２の上面１２ａに密着させている限り、内部に収容された折り畳みウェットティシュ１２の気密性を長期間に亙って維持することができる。
【００２５】
ウェットティシュパック１０から折り畳みウェットティシュ１を引き出す場合、開閉用シート１４の先端部に形成されたタブ１４ｂをつまみ、粘着層１４ａによる粘着力に抗してこれをフィルム包装袋１２の上面１２ａから引き離し、開口部１３を露出させる。次にこの開口部１３から一部が露出した状態となっている一番上の折り畳みウェットティシュ１をつまみ上げ、フィルム包装袋１２から引き出す。この場合、上側に位置する引き出し中の折り畳みウェットティシュ１の引き出しに伴って引きずられて持ち上がる次の折り畳みウェットテュシュ１の先端部が開口部１３に引っ掛かり、その一部が開口部１３から露出した状態となる。そして、この状態にて引き出し中の折り畳みウェットティシュ１とその下側に続く折り畳みウェットティシュ１との間に介在する大粒子の摩擦低減作用により、開口部１３に引っ掛かった下側の折り畳みウェットティシュ１がそのままの状態に維持される。結果として、一部が開口部１３から露出した下側の折り畳みウェットティシュ１を共にすることなく、上側の折り畳みウェットティシュ１のみをフィルム包装袋１２からポップアップ式に取り出すことが可能となる。
【００２６】
なお、包装体の形態として上述したウェットティシュパック１０以外の周知の構成のものを適宜採用することも可能である。また、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のないあらゆる構成を含め、その用途や目的などに応じて任意に変更し得るものである。
【符号の説明】
【００２７】
１  折り畳みウェットティシュ
１ＤＬ，１ＤＲ，１ＵＬ，１ＵＲ  折り返し部
１０  ウェットティシュパック
１１  ウェットティシュ束
１２  フィルム包装袋
１２ａ  上面
１３  開口部
１４  開閉用シート
１４ａ  粘着層
１４ｂ  タブ
【図１】
2015188659.tif 000003
【図２】
2015188659.tif 000004
【図３】
2015188659.tif 000005